(57)【要約】【解決手段】本発明は、メディア信号処理装置及び方法に関する。本発明によるメディア信号処理方法は、ビットストリームからダウンミックス信号を抽出する段階と、ビットストリームから第１空間情報と第２空間情報のうちの１つ以上を抽出する段階と、抽出された空間情報及びダウンミックス信号を用いてマルチチャンネルを生成する段階と、を含む。また、本発明は、様々な種類のマルチチャンネルを生成することができるデコーディング方法及びその装置を提供する。
2009532712.tif 000002
【特許請求の範囲】
【請求項１】
ビットストリームからダウンミックス信号を抽出する段階と、
前記ビットストリームから第１空間情報と第２空間情報のうち１つ以上を抽出する段階と、
前記抽出された空間情報及び前記ダウンミックス信号を用いてマルチチャンネルを生成する段階と、
を含むことを特徴とするメディア信号処理方法。
【請求項２】
前記第１空間情報は３以上のチャンネルを生成するための情報であり、前記第２空間情報は、２チャンネルを生成するための信号であることを特徴とする、請求項１に記載のメディア信号処理方法。
【請求項３】
前記第１空間情報及び第２空間情報は、チャンネルレベル差、チャンネル間相関、チャンネル予測係数、チャンネル間位相差のうち、１つ以上を含むことを特徴とする、請求項２に記載のメディア信号処理方法。
【請求項４】
前記ダウンミックス信号はモノ信号であることを特徴とする、請求項１に記載のメディア信号処理方法。
【請求項５】
前記ダウンミックス信号は、周波数ドメイン上の信号であることを特徴とする、請求項４に記載のメディア信号処理方法。
【請求項６】
前記マルチチャンネルを生成する段階は、
前記抽出した空間情報が前記第２空間情報である場合、前記ダウンミックス信号を信号変換部にアップミックスして前記２チャンネルを生成することを特徴とする、請求項２に記載のメディア信号処理方法。
【請求項７】
前記空間情報を変形する段階をさらに含み、
前記マルチチャンネルを生成する段階は、修正された空間情報及び前記ダウンミックス信号を用いて前記マルチチャンネルを生成することを特徴とする、請求項１に記載のメディア信号処理方法。
【請求項８】
前記修正された空間情報は、前記空間情報を組み合わせて生成したことを特徴とする、請求項７に記載のメディア信号処理方法。
【請求項９】
前記ダウンミックス信号は、第１マルチチャンネルをダウンミックスした信号であり、
前記修正された空間情報及び前記ダウンミックス信号を用いて復元された前記マルチチャンネルは、前記第１マルチチャンネルとチャンネル数が異なることを特徴とする、請求項８に記載のメディア信号処理方法。
【請求項１０】
前記マルチチャンネルを生成する段階は、複数の信号変換部で前記ダウンミックス信号をアップミックスすることによって行われることを特徴とする、請求項４または７に記載のメディア信号処理方法。
【請求項１１】
前記チャンネルを生成する段階は、前記ダウンミックス信号及び前記抽出された第２空間情報を用いて前記２チャンネルを生成し、または前記生成された２チャンネル及び前記抽出された第１空間情報を用いて前記３以上のチャンネルを生成する段階を含むことを特徴とする、請求項２に記載のメディア信号処理方法。
【請求項１２】
前記２チャンネル及び前記３以上のチャンネルは、同一のドメインで生成され、前記ドメインは、周波数ドメインであることを特徴とする、請求項１１に記載のメディア信号処理方法。
【請求項１３】
前記チャンネル生成段階は、前記ダウンミックス信号及び前記抽出された第２空間情報を用いて前記２チャンネルを生成し、または前記ダウンミックス信号及び前記抽出された第１空間情報を用いて前記３以上のチャンネルを生成する段階を含むことを特徴とする、請求項２に記載のメディア信号処理方法。
【請求項１４】
前記空間情報抽出段階及び前記マルチチャンネル生成段階は、使用者の選択によって、または、前記方法を行う装置が生成できるチャンネル種類に応じて行われることを特徴とする、請求項１、１１及び１３のいずれか１項に記載のメディア信号処理方法。
【請求項１５】
前記２チャンネルは、周波数ドメインで生成され、
前記方法は、
前記生成された２チャンネルを時間ドメインへと変換する段階と、
前記時間ドメインの２チャンネルを出力する段階と、をさらに含み、
前記３以上のチャンネルは、前記周波数ドメインの２チャンネルまたは前記時間ドメインの２チャンネルを用いて生成されることを特徴とする、請求項１１に記載のメディア信号処理方法。
【請求項１６】
マルチチャンネルから第１ダウンミックス信号を生成する段階と、
前記第１ダウンミックス信号から第２ダウンミックス信号を生成する段階と、
前記マルチチャンネル及び前記第１ダウンミックス信号を用い、または、前記マルチチャンネル及び前記第２ダウンミックス信号を用いて第１空間情報を生成する段階と、
前記第１ダウンミックス信号及び前記第２ダウンミックス信号を用いて第２空間情報を生成する段階と、
前記第１空間情報及び前記第２空間情報を含むビットストリームを生成する段階と、
を含むことを特徴とするメディア信号処理方法。
【請求項１７】
前記第１ダウンミックス信号は２チャンネ信号であり、前記第２ダウンミックス信号はモノ信号であることを特徴とする、請求項１６に記載のメディア信号処理方法。
【請求項１８】
マルチチャンネルから第１ダウンミックス信号を生成する段階と、
前記第１ダウンミックス信号から第２ダウンミックス信号を生成する段階と、
前記第２ダウンミックス信号をエンコーディングする段階と、
前記エンコーディングされた第２ダウンミックス信号をデコーディングする段階と、
前記第１ダウンミックス信号及び前記デコーディングされた第２ダウンミックス信号を用いて第２空間情報を生成する段階と、
前記マルチチャンネル及び前記デコーディングされた第２ダウンミックス信号を用いて第１空間情報を生成する段階と、
を含むこと特徴とするメディア信号処理方法。
【請求項１９】
マルチチャンネルから第１ダウンミックス信号を生成する段階と、
前記第１ダウンミックス信号から第２ダウンミックス信号を生成する段階と、
前記第２ダウンミックス信号をエンコーディングする段階と、
前記エンコーディングされた第２ダウンミックス信号をデコーディングする段階と、
前記第１ダウンミックス信号及び前記デコーディングされた第２ダウンミックス信号を用いて第２空間情報を生成する段階と、
前記デコーディングされた第２ダウンミックス信号及び前記第２空間情報を用いて、修正された第１ダウンミックス信号を生成する段階と、
前記修正された第１ダウンミックス信号及び前記マルチチャンネルを用いて第１空間情報を生成する段階と、
を含むこと特徴とするメディア信号処理方法。
【請求項２０】
前記第１空間情報及び前記第２空間情報を含むビットストリームを生成する段階をさらに含むことを特徴とする、請求項１８または１９に記載のメディア信号処理方法。
【請求項２１】
ビットストリームからダウンミックス信号を抽出するダウンミックス信号抽出部と、
前記ダウンミックス信号から２チャンネルを生成するための第２空間情報と３以上のチャンネルを生成するための第１空間情報のうちの１つ以上を、前記ビットストリームから抽出する情報抽出部と、
前記抽出された情報及び前記ダウンミックス信号を用いて前記２チャンネルと前記３以上のチャンネルのうちの一つを生成するチャンネル生成部と、
を含むことを特徴とする信号処理装置。
【請求項２２】
マルチチャンネルから２チャンネル以上を含む第１ダウンミックス信号を生成する間に抽出した第１空間情報と、
第１ダウンミックス信号から第２ダウンミックス信号を生成する間に抽出した第２空間情報と、
を含むことを特徴とするビットストリーム構造。
【請求項２３】
請求項２２のビットストリーム構造を含む記憶媒体。
【請求項２４】
マルチチャンネルから第１ダウンミックス信号を生成する第１ダウンミキシング部と、
前記第１ダウンミックス信号から第２ダウンミックス信号を生成する第２ダウンミキシング部と、
前記マルチチャンネル及び前記第１ダウンミックス信号を用い、または、マルチチャンネル及び前記第２ダウンミックス信号を用いて第１空間情報を生成する第１空間情報生成部と、
前記第１ダウンミックス信号及び第２ダウンミックス信号を用いて第２空間情報を生成する第２空間情報生成部と、
第１空間情報及び前記第２空間情報を含むビットストリームを生成する多重化部と、
を含むことを特徴とする信号処理装置。
【請求項２５】
マルチチャンネルから第１ダウンミックス信号を生成するダウンミキシング部と、
前記ダウンミックス信号をエンコーディングするエンコーディング部と、
前記エンコーディングされたダウンミックス信号をデコーディングするデコーディング部と、
前記マルチチャンネル及び前記デコーディングされたダウンミックス信号を用いて空間情報を生成する空間情報生成部と、
を含むことを特徴とする信号処理装置。
【発明の詳細な説明】
【技術分野】
【０００１】
本発明は、メディア信号を処理する方法及び装置に関する。
【背景技術】
【０００２】
本発明で、メディア信号は、オーディオ信号及びビデオ信号を含むが、以下、オーディオ信号を例に挙げて説明する。
【０００３】
現在、２チャンネル信号が最も頻繁に生成され、広く利用されているが、マルチチャンネル信号もまた、利用量が増加しつつある。以下、２チャンネル信号と区別するために、３チャンネル以上を含むオーディオ信号をマルチチャンネル信号と呼ぶ。一般に、エンコーディング装置は、マルチチャンネル信号のチャンネルを個別に圧縮する代わりに、マルチチャンネル信号をモノまたはステレオ形態のダウンミックス信号に圧縮する。エンコーディング装置のダウンミキシング部は、マルチチャンネルをダウンミックスすることによって空間情報を抽出する。エンコーディング装置は、圧縮されたダウンミックス信号と空間情報をデコーディング装置に転送し、または記憶媒体に記憶する。空間情報は、圧縮されたダウンミックス信号から元のマルチチャンネル信号を復元するときに使用される。
【０００４】
エンコーディング／デコーディング装置が２チャンネル信号圧縮及び復元に使用される場合、エンコーディング装置は、２チャンネル信号からダウンミックス信号及び空間情報を生成し、ダウンミックス信号及び空間情報を含むビットストリームをデコーディング装置に転送する。デコーディング装置は、転送されてきたビットストリームをアップミックスし、元の２チャンネル信号を生成する。エンコーディング／デコーディング装置がマルチチャンネル信号の圧縮及び復元に使用される場合、エンコーディング装置は、マルチチャンネル信号からダウンミックス信号及び空間情報を生成し、ダウンミックス信号及び空間情報を含むビットストリームをデコーディング装置に転送する。デコーディング装置は、転送されてきたビットストリームをアップミックスし、元のマルチチャンネル信号を生成する。
【発明の開示】
【発明が解決しようとする課題】
【０００５】
したがって、本発明は、従来の制約及び不都合に起因する１以上の問題を十分に除去するメディア信号処理装置及び方法を対象とする。
【０００６】
本発明の目的は、ダウンミックスされる前のオーディオ信号に近い音質を有するオーディオ信号復元のための空間情報を生成するエンコーディング方法及び装置を提供することにある。
【０００７】
また、本発明の他の目的は、２チャンネル信号を生成するのに使用される空間情報とマルチチャンネル信号を生成するのに使用される空間情報のいずれも含むビットストリームを提供し及び生成するエンコーディング方法及び装置を提供することにある。
【０００８】
また、本発明の他の目的は、２チャンネル信号又はマルチチャンネル信号を選択的に生成することができるデコーディング方法及び装置を提供することにある。
【課題を解決するための手段】
【０００９】
本発明は、ビットストリームからダウンミックス信号を抽出し、ビットストリームから第１空間情報と第２空間情報のうち、いずれか１つ以上を抽出し、抽出された空間情報及びダウンミックス信号を用いて特定のマルチチャンネルを生成する方法及び装置を提供する。
【発明の効果】
【００１０】
本発明によれば、ダウンミックスされる前のオーディオ信号に近い音質を有するオーディオ信号復元のための空間情報を生成するエンコーディング方法及び装置を提供することができる。
【００１１】
また、本発明によれば、２チャンネル信号を生成するのに使用される空間情報とマルチチャンネル信号を生成するのに使用される空間情報のいずれも含むビットストリームを提供し及び生成するエンコーディング方法及び装置を提供することができる。
【００１２】
また、本発明によれば、２チャンネル信号又はマルチチャンネル信号を選択的に生成することができるデコーディング方法及び装置を提供することができる。
【００１３】
上記の目的を達成するために、本発明の一態様によれば、ビットストリームからダウンミックス信号を抽出する段階と、前記ビットストリームから第１空間情報と第２空間情報のうち、１つ以上を抽出する段階と、前記抽出された空間情報及び前記ダウンミックス信号を用いてマルチチャンネルを生成する段階と、を含むことを特徴とするメディア信号処理方法を提供することができる。
【００１４】
本発明の他の態様によれば、マルチチャンネルから第１ダウンミックス信号を生成する段階と、前記第１ダウンミックス信号から第２ダウンミックス信号を生成する段階と、前記マルチチャンネル及び前記第１ダウンミックス信号を用い、または、前記マルチチャンネル及び前記第２ダウンミックス信号を用いて第１空間情報を生成する段階と、前記第１ダウンミックス信号及び第２ダウンミックス信号を用いて第２空間情報を生成する段階と、前記第１空間情報及び第２空間情報を含むビットストリームを生成する段階と、を含むことを特徴とするメディア信号処理方法を提供することができる。
【００１５】
本発明のさらに他の態様によれば、マルチチャンネルから第１ダウンミックス信号を生成する段階と、前記第１ダウンミックス信号から第２ダウンミックス信号を生成する段階と、前記第２ダウンミックス信号をエンコーディングする段階と、前記エンコーディングされた第２ダウンミックス信号をデコーディングする段階と、前記第１ダウンミックス信号及び前記デコーディングされた第２ダウンミックス信号を用いて第２空間情報を生成する段階と、前記マルチチャンネル及び前記デコーディングされた第２ダウンミックス信号を用いて第１空間情報を生成する段階と、を含むこと特徴とするメディア信号処理方法を提供することができる。
【００１６】
本発明のさらに他の態様によれば、マルチチャンネルから第１ダウンミックス信号を生成する段階と、前記第１ダウンミックス信号から第２ダウンミックス信号を生成する段階と、前記第２ダウンミックス信号をエンコーディングする段階と、前記エンコーディングされた第２ダウンミックス信号をデコーディングする段階と、前記第１ダウンミックス信号及び前記デコーディングされた第２ダウンミックス信号を用いて第２空間情報を生成する段階と、前記デコーディングされた第２ダウンミックス信号及び前記第２空間情報を用いて、修正された第１ダウンミックス信号を生成する段階と、前記修正された第１ダウンミックス信号及び前記マルチチャンネルを用いて第１空間情報を生成する段階と、を含むこと特徴とするメディア信号処理方法を提供することができる。
【００１７】
本発明のさらに他の態様によれば、ビットストリームからダウンミックス信号を抽出するダウンミックス信号抽出部と、前記ダウンミックス信号から２チャンネルを生成するための第２空間情報と３以上のチャンネルを生成するための第１空間情報のうちの１つ以上を、前記ビットストリームから抽出する情報抽出部と、前記抽出された情報及び前記ダウンミックス信号を用いて前記第２チャンネルと前記３以上のチャンネルのうち一つを生成するチャンネル生成部と、を含むことを特徴とする信号処理装置を提供することができる。
【００１８】
本発明のさらに他の態様によれば、マルチチャンネルから２チャンネル以上を含む第１ダウンミックス信号生成中に抽出した第１空間情報、及び、前記第１ダウンミックス信号から第２ダウンミックス信号の生成中に抽出した第２空間情報を含むことを特徴とするビットストリーム構造、及び、ビットストリーム構造を含む記憶媒体を提供することができる。
【００１９】
本発明の他の態様によれば、マルチチャンネルから第１ダウンミックス信号を生成する第１ダウンミキシング部と、前記第１ダウンミックス信号から第２ダウンミックス信号を生成する第２ダウンミキシング部と、前記マルチチャンネル及び第１ダウンミックス信号を用い、または、マルチチャンネル及び前記第２ダウンミックス信号を用いて第１空間情報を生成する第１空間情報生成部と、前記第１ダウンミックス信号及び第２ダウンミックス信号を用いて第２空間情報を生成する第２空間情報生成部と、前記第１空間情報及び第２空間情報を含むビットストリームを生成する多重化部と、を含むことを特徴とする信号処理装置を提供することができる。
【００２０】
本発明の他の態様によれば、マルチチャンネルから第１ダウンミックス信号を生成するダウンミキシング部と、前記ダウンミックス信号をエンコーディングするエンコーディング部と、前記エンコーディングされたダウンミックス信号をデコーディングするデコーディング部と、前記マルチチャンネル及び前記デコーディングされたダウンミックス信号を用いて空間情報を生成する空間情報生成部と、を含むことを特徴とする信号処理装置を提供することができる。
【発明を実施するための最良の形態】
【００２１】
以下、本発明の好適な実施例を、添付の図面を参照しつつ説明する。本発明の理解を助けるために、オーディオ信号エンコーディング方法及び装置を、オーディオ信号デコーディング方法及び装置に先立って説明する。ただし、本発明によるデコーディング方法及び装置が、以下に説明されるエンコーディング方法及び装置によって制限されることはない。
【００２２】
また、本発明は、ＭＰ３（ＭＰＥＧ  １／２−ｌａｙｅｒ  III ）、ＡＡＣ（先進的音響符号化）だけでなく、空間情報を用いて２チャンネルを生成するコーディング技術及び空間情報を用いてマルチチャンネルを生成するコーディング技術にも適用される。
【００２３】
２チャンネル信号を圧縮するエンコーディング装置は、２チャンネル信号を受信し、受信した信号をモノ信号にダウンミックスし、２チャンネル信号間の関係を示す空間情報を抽出する。マルチチャンネル信号を圧縮するエンコーディング装置は、マルチチャンネル信号を１つまたは２つのオーディオ信号にダウンミックスし、マルチチャンネル信号間の関係を示す空間情報を抽出する。エンコーディング装置は、マルチチャンネル信号をダウンミックスして２チャンネル信号を生成し、または、２チャンネル信号を再びダウンミックスしてモノ信号を生成しても良い。この場合、エンコーディング装置は、マルチチャンネル信号を２チャンネル信号にダウンミックスするときにマルチチャンネル信号と２チャンネル信号との関係から空間情報を抽出し、または、２チャンネル信号をモノ信号にダウンミックスするとき、２チャンネル信号とモノ信号との関係から空間情報を抽出する。エンコーディング装置は、２チャンネル信号を復元するための空間情報とマルチチャンネル信号を復元するための空間情報を個別にデコーディング装置に転送しても良いが、２チャンネル信号復元のための空間情報及びマルチチャンネル信号復元のための空間情報を含むビットストリームを生成し、ビットストリームをデコーディング装置に転送しても良い。デコーディング装置が２チャンネル信号とマルチチャンネル信号のうちの一方を生成できる場合、２チャンネル信号復元のための空間情報及びマルチチャンネル信号復元のための空間情報を含むビットストリームを受信したデコーディング装置は、生成できるチャンネル信号を復元するための空間情報のみをビットストリームから抽出し、抽出した空間情報を用いてチャンネル信号を復元できる。デコーディング装置が２チャンネル信号やマルチチャンネル信号をいずれも復元できる場合、デコーディング装置は、使用者により選択されたチャンネル信号の生成に必要な空間情報のみをビットストリームから抽出し、抽出した空間情報を用いて、ユーザにより選択されたチャンネル信号を生成できる。
【００２４】
以下、エンコーディング装置が２チャンネル信号復元のための空間情報及びマルチチャンネル信号復元のための空間情報を含むビットストリームを生成するエンコーディング方法及び装置について、図１及び図２を参照して説明する。
【００２５】
図１は、本発明の一実施例による第１エンコーディング装置を示すブロック図である。図１を参照すると、第１エンコーディング装置は、第１ダウンミキシング部１００、第２ダウンミキシング部１１０、ダウンミックス信号エンコーディング部１２０、第１空間情報生成部１３０、第２空間情報生成部１４０及び多重化部１５０を含む。第１ダウンミキシング部１００は、マルチチャンネル信号を受信し、受信した信号をマルチチャンネル信号より少ない数のチャンネルを持つ第１ダウンミックス信号にダウンミックスする。第２ダウンミキシング部１１０は、第１ダウンミックス信号を、第１ダウンミックス信号より少ない数のチャンネルを持つ第２ダウンミックス信号にダウンミックスする。
【００２６】
ダウンミキシング部１００，１１０は、２チャンネルを１チャンネルに、または、３チャンネルを２チャンネルにするために、ＯＴＴ（Ｏｎｅ−Ｔｏ−Ｔｗｏ）ボックスまたはＴＴＴ（Ｔｗｏ−Ｔｏ−Ｔｈｒｅｅ）ボックスを使用することができる。ＯＴＴボックスまたはＴＴＴボックスは、オーディオ信号デコーディング装置に含まれ、ダウンミックス信号と空間情報を用いてマルチチャンネルを生成するのに使用される概念的なボックスである。ＯＴＴボックスは、空間情報を用いて１つの信号を２つの信号に変換し、ＴＴＴボックスは、空間情報を用いて２つの信号を３つの信号に変換する。以下、ＯＴＴボックスまたはＴＴＴボックスを信号変換部と呼ぶ。オーディオ信号デコーディング装置にＯＴＴボックスまたはＴＴＴボックスが使用されることに対応し、ＯＴＴボックスまたはＴＴＴボックスは、オーディオ信号エンコーディング装置のダウンミキシング部１００または１１０に含まれ、入力されるマルチチャンネルを１つまたは２つのダウンミックス信号として出力するのに使用される。
【００２７】
第１ダウンミックス信号または第２ダウンミックス信号をダウンミキシング部１００，１１０によって生成する代わりに人工的に生成してもよい。第２ダウンミックス信号は、第１ダウンミックス信号よりも少ない数のチャンネルを含む信号であるから、第２ダウンミックス信号がモノ信号である場合、第１ダウンミックス信号は２つ以上のチャンネルを含まなければならなく、第１ダウンミックス信号が２チャンネル信号である場合、マルチチャンネル信号は３つ以上のチャンネルを含まなければならない。ダウンミックス信号エンコーディング部１２０は、第２ダウンミックス信号を圧縮し、圧縮されたダウンミックス信号を多重化部１５０に送る。第１空間情報生成部１３０は、マルチチャンネル信号及び第２ダウンミックス信号を用いて第１空間情報を生成し、第１空間情報を多重化部１５０に送る。
【００２８】
空間情報は、チャンネル信号をダウンミックスするときにチャンネル間の関係を示す情報であり、デコーディング装置においてダウンミックス信号から元のチャンネル信号を復元するときに使用される。マルチチャンネル信号がダウンミックスされるときに生成される第１空間情報情報は、ＣＬＤ（チャンネルレベル差）、ＩＣＣ（チャンネル間相関）、ＣＰＣ（チャンネル予測係数）などがある。ＣＬＤは、オーディオ信号間のエネルギー差を示し、ＩＣＣは、オーディオ信号間の相関または類似を示し、ＣＰＣは、他の信号を用いてオーディオ信号を予測する係数を示す。第２空間情報生成部１４０は、第１ダウンミックス信号と第２ダウンミックス信号を用いて第２空間情報を生成し、第２空間情報を多重化部１５０に送る。第１ダウンミックス信号が２チャンネル信号である場合、第２空間情報は、２チャンネル間のエネルギー差を示すＩＩＤ（チャンネル間強度差）、２チャンネルの位相差を示すＩＰＤ（チャンネル間位相差）、２チャンネル間の相関を示すＩＣＣ（チャンネル間相関）などを含むことができる。
【００２９】
空間情報は、定められたツリー構造に従ってチャンネル信号をダウンミックスする過程で抽出した情報である。ここで、定められたツリー構造とは、デコーディング装置とエンコーディング装置との間で合意されたツリー構造のことをいう。空間情報は、ツリー構造情報を含むことができる。
【００３０】
ここで、ツリー構造情報とは、ツリー構造の類型に関する情報であるが、このツリー構造の類型に応じて、マルチチャンネルの個数、チャンネル別ダウンミックス順序を変更することができる。
【００３１】
多重化部１５０は、第１空間情報及び第２空間情報を含むビットストリームを生成し、生成されたビットストリームをダウンミックス信号と共にまたは別個にデコーディング装置に転送する。
【００３２】
エンコーディング装置は、第２ダウンミックス信号をＰＣＭ信号の形態でデコーディング装置に転送しても良い。この場合、多重化部１５０は、第１空間情報と第２空間情報を含むビットストリームを生成し、生成されたビットストリームをＰＣＭ信号と共にまたはＰＣＭ信号とは別個にデコーディング装置に転送することができる。ＰＣＭ信号と空間情報を共にデコーディング装置に転送する場合、多重化部１５０は、ＰＣＭ信号に第１空間情報及び第２空間情報を埋め込んで１つのビットストリームを生成し、生成されたビットストリームをデコーディング装置に転送することができる。
【００３３】
エンコーディング装置は、転送するビットストリームに２チャンネル信号生成のための第２空間情報が含まれているか、マルチチャンネル信号生成のための第１空間情報が含まれているか、または、第１空間情報及び第２空間情報が両方とも含まれているかを表示する識別子をビットストリームに挿入することができる。
【００３４】
図２は、本発明の他の実施例による第２エンコーディング装置を示すブロック図である。図２を参照すると、第２エンコーディング装置は、第１ダウンミキシング部２００、第２ダウンミキシング部２１０、ダウンミックス信号エンコーディング部２２０、第１空間情報生成部２３０、第２空間情報生成部２４０及び多重化部２５０を含む。第１ダウンミキシング部２００は、マルチチャンネル信号を受信し、受信したマルチチャンネル信号を、マルチチャンネル信号よりも少ない数のチャンネルを持つ第１ダウンミックス信号にダウンミックスする。第２ダウンミキシング部２１０は、第１ダウンミックス信号を、第１ダウンミックス信号よりも少ない数のチャンネルを有する第２ダウンミックス信号にダウンミックスする。ダウンミックス信号エンコーディング部２２０は、第２ダウンミックス信号を圧縮し、圧縮された信号を多重化部２５０に送る。第２ダウンミックス信号は、ダウンミックス信号エンコーディング部２２０を経由せずにＰＣＭ信号の形態でデコーディング装置に転送されても良い。第１空間情報生成部２３０は、マルチチャンネル信号及び第１ダウンミックス信号を用いて第１空間情報を生成する。第２空間情報生成部２４０は、第１ダウンミックス信号及び第２ダウンミックス信号を用いて第２空間情報を生成する。第１空間情報生成部２３０と第２空間情報生成部２４０は、生成された第１空間情報及び第２空間情報を多重化部２５０に送る。
【００３５】
多重化部２５０は、圧縮された第２ダウンミックス信号、第１空間情報及び第２空間情報を多重化してビットストリームを生成し、生成されたビットストリームをデコーディング装置に転送する。エンコーディング装置は、ダウンミックス信号と第１空間情報及び第２空間情報をそれぞれ別個のビットストリームとして生成し、別個のビットストリームをそれぞれデコーディング装置に転送する。エンコーディング装置は、第１空間情報及び第２空間情報を含むビットストリームを生成し、生成されたビットストリームをダウンミックス信号と共にデコーディング装置に転送することもできる。
【００３６】
第２エンコーディング装置は、マルチチャンネル信号と第１ダウンミックス信号を用いて第１空間情報を生成するという点で、マルチチャンネル信号と第２ダウンミックス信号を用いて第１空間情報を生成する第１エンコーディング装置とは異なる。したがって、第１エンコーディング装置によって生成される第１空間情報は、第２エンコーディング装置によって生成される第１空間情報と異なる。
【００３７】
図１及び図２で説明したエンコーディング装置によって生成されたダウンミックス信号と空間情報を受信したデコーディング装置は、空間情報及びダウンミックス信号を用いて２チャンネル信号またはマルチチャンネル信号を復元する。デコーディング装置は、エンコーディング装置から符号化されて転送されたダウンミックス信号を復号化した後、復号されたダウンミックス信号と空間情報を用いて２チャンネルまたはマルチチャンネル信号を復元する。したがって、デコーディング装置が復元するオーディオ信号と、エンコーディング装置でダウンミックスされる前のオーディオ信号とは、音質面で違いが出る。これを防ぐために、エンコーディング装置は、デコーディング装置でオーディオ信号を復元するときに使用するダウンミックス信号を用いて空間情報を生成することができる。以下、図３及び図４では、デコーディング装置でオーディオ信号を復元するときに使用されるダウンミックス信号を用いて空間情報を生成するエンコーディング方法及び装置について説明する。
【００３８】
図３は、本発明の一実施例によるデコーディングされたダウンミックス信号を用いて空間情報を生成する第３エンコーディング装置を示すブロック図である。図３を参照すると、第３エンコーディング装置は、第１ダウンミキシング部３００、第２ダウンミキシング部３１０、ダウンミックス信号エンコーディング部３２０、ダウンミックス信号デコーディング部３３０、第１空間情報生成部３５０、第２空間情報生成部３４０及び多重化部３６０を含む。第３エンコーディング装置は、ダウンミックス信号デコーディング部３３０を含むという点で第１エンコーディングと異なる。第１ダウンミキシング部３００は、マルチチャンネル信号を第１ダウンミックス信号にダウンミックスし、第２ダウンミキシング部３１０は、第１ダウンミックス信号を第２ダウンミックス信号にダウンミックスする。ダウンミックス信号エンコーディング部３２０は、第２ダウンミックス信号を符号化する。ダウンミックス信号デコーディング部３３０は、符号化された第２ダウンミックス信号を復号化する。第２空間情報生成部３４０は、第１ダウンミックス信号と復号化された第２ダウンミックス信号とを用いて第２空間情報を生成する。第１エンコーディング装置と第３エンコーディング装置は、第１ダウンミックス信号と第２ダウンミックス信号との間の関係を用いて第２空間情報を生成するという共通点がある。しかし、第３エンコーディング装置は、第２ダウンミックス信号を符号化し、符号化された第２ダウンミックス信号を再び復号化した後、復号化された第２ダウンミックス信号を用いて第２空間情報を生成するという点で、第２ダウンミキシング部１１０によってダウンミックスされた第２ダウンミックス信号を用いて第２空間情報を生成する第１エンコーディング装置と異なる。また、第１エンコーディング装置によって生成される第２空間情報は、第３エンコーディング装置によって生成される第２空間情報と異なる。第１空間情報生成部３５０は、マルチチャンネル信号と復号化された第２ダウンミックス信号とを用いて第１空間情報を生成する。第１エンコーディング装置が第２ダウンミックス信号を用いて第１空間情報を生成することとは違い、第３エンコーディング装置は、第２ダウンミックス信号を符号化し、符号化された信号を再び復号化した後、復号化された第２ダウンミックス信号を用いて第２空間情報を生成する。したがって、第１エンコーディング装置と第３エンコーディング装置は互いに異なる。第１エンコーディング装置の第１空間情報も第３エンコーディング装置の第１空間情報と異なる。多重化部３６０は、符号化されたダウンミックス信号、第１空間情報及び第２空間情報を多重化し、多重化された信号をデコーディング装置に転送する。デコーディング装置は、エンコーディング装置が符号化して転送した第２ダウンミックス信号を復号化し、復号化されたダウンミックス信号に第１空間情報及び第２空間情報のうちの少なくとも１つを適用し、２チャンネル信号またはマルチチャンネル信号を復元する。これにより、デコーディング装置が復元するチャンネル信号は、エンコーディング装置がダウンミックスする前のオーディオ信号により近い音質を持つことになる。
【００３９】
図４は、本発明の他の実施例によるデコーディングされたダウンミックス信号を用いて空間情報を生成する第４エンコーディング装置を示すブロック図である。図４を参照すると、第４エンコーディング装置は、第１ダウンミキシング部４００、第２ダウンミキシング部４１０、ダウンミックス信号エンコーディング部４２０、ダウンミックス信号デコーディング部４３０、第１空間情報生成部４６０、第２空間情報生成部４４０、第１ダウンミックス信号生成部４５０、及び多重化部４７０を含む。第４エンコーディング装置は、ダウンミックス信号デコーディング部４３０及び第１ダウンミックス信号生成部４５０を含むという点で第２エンコーディング装置と異なる。第１ダウンミキシング部４００は、マルチチャンネル信号を第１ダウンミックス信号にダウンミックスし、第２ダウンミキシング部４１０は、第１ダウンミックス信号を第２ダウンミックス信号にダウンミックスする。ダウンミックス信号エンコーディング部４２０は、第２ダウンミックス信号を符号化し、これをダウンミックス信号デコーディング部４３０に送る。ダウンミックス信号デコーディング部４３０は、符号化したダウンミックス信号を復号化し、これを、第２空間情報生成部４４０に送る。第２空間情報生成部４４０は、第１ダウンミックス信号と復号化した第２ダウンミックス信号とを用いて第２空間情報を生成する。第４エンコーディング装置は、ダウンミックス信号エンコーディング部４２０によって符号化された後にダウンミックス信号デコーディング部４３０によって再び復号化されたダウンミックス信号を用いて第２空間情報を生成するという点で、符号化及び復号化を行うことなく第２ダウンミックス信号を用いて第２空間情報を生成する第２エンコーディング装置と異なる。第１ダウンミックス信号生成部４５０は、ダウンミックス信号デコーディング部４３０によって復号化された第２ダウンミックス信号と第２空間情報とを用いて、修正された第１ダウンミックス信号を生成する。修正された第１ダウンミックス信号は、符号化され再び復号化された第２ダウンミックス信号及び符号化され再び復号化された第２ダウンミックス信号を用いて生成された第２空間情報から生成されるという点で、第１ダウンミキシング部４００によってダウンミックスされた第１ダウンミックス信号と異なる。第１空間情報生成部４６０は、修正された第１ダウンミックス信号及びマルチチャンネル信号を用いて第１空間情報を生成する。第１空間情報生成部４６０は、第１ダウンミックス信号生成部４５０が生成した修正された第１ダウンミックス信号を用いて第１空間情報を生成するという点で、第１ダウンミックス信号をそのまま用いて第１空間情報を生成する第２エンコーディング装置とは異なる。また、第１空間情報生成部４６０によって生成される第１空間情報は、第２エンコーディング装置によって生成される第１空間情報と異なる。多重化部４７０は、第１空間情報及び第２空間情報を含むビットストリームを生成する。第４エンコーディング装置は、空間情報を含むビットストリームを第２ダウンミックス信号と共にまたは別個にデコーディング装置に転送する。
【００４０】
図５は、本発明の一実施例によるオーディオ信号をビットストリームとして示す図である。図５を参照すると、本発明によるオーディオ信号は、ダウンミックス信号５００及び空間情報信号６００を含む。オーディオ信号は、フレームが並べられたＥＳ（エレメンタリストリーム）形態で存在する。ダウンミックス信号５００と空間情報信号６００を、異なるＥＳ形態でデコーディング装置に転送することができるが、ダウンミックス信号５００と空間情報信号６００とが結合した１つのＥＳの形態で転送しても良い。ダウンミックス信号５００と空間情報信号６００とが結合した形態でデコーディング装置に転送される場合、空間情報信号６００を、ダウンミックス信号５００の補助データまたは拡張データ位置に含むことができる。
【００４１】
オーディオ信号は、デコーディング装置がオーディオ信号を分析することなくオーディオコーデックの基本的な情報を認識するためにコーデック識別子を含むことができる。コーデック識別子は、オーディオ信号がどんなコーディング方法で符号化されたかを表示する情報である。コーデック識別子を、空間情報信号６００のヘッダ６１０または空間情報６２０に含むことができる。コーデック識別子は、空間情報識別子を含むことができる。この場合、空間情報識別子は、ビットストリームがオーディオ信号から２チャンネル信号を生成するための第２空間情報を含むか、オーディオ信号からマルチチャンネル信号を生成するための第１空間情報を含むか、または、第１空間情報及び第２空間情報を両方とも含むかを表示する情報である。デコーディング装置は、空間情報識別子を用いてダウンミックス信号から生成されうるオーディオ信号の種類などを検出することができる。
【００４２】
空間情報信号６００は、ヘッダ６１０と空間情報６２０を含むことができる。空間情報信号６００は、ヘッダ６１０を含まずに空間情報６２０のみを含むことができる。すなわち、空間情報信号６００は、ヘッダ６１０を含むフレームとそうでないフレームを一緒に使用することができる。オーディオ信号がマルチチャンネル信号を生成するための空間情報と２チャンネル信号を生成するための空間情報を含む場合、ヘッダ６１０は２チャンネル信号ヘッダ６１１とマルチチャンネル信号ヘッダ６１３を含むことができる。デコーディング装置が復元できる信号が２チャンネル信号である場合、デコーディング装置は、２チャンネル信号ヘッダ６１１を用いて２チャンネル信号を生成するための第２空間情報６２３を復号化し、デコーディングされた第２空間情報６２３を用いて２チャンネル信号を復元する。デコーディング装置が復元できる信号がマルチチャンネル信号である場合、デコーディング装置はマルチチャンネル信号ヘッダ６１３を用いてマルチチャンネル信号生成のための空間情報をデコーディングする。マルチチャンネル信号復元のための空間情報は、第１空間情報６２１の他にも第２空間情報６２３を含むことができる。デコーディング装置が２チャンネル信号を復元し、復元された２チャンネル信号からマルチチャンネル信号を復元する場合、２チャンネル信号復元のための第２空間情報６２３及び２チャンネル信号からマルチチャンネル信号を復元するための第１空間情報６２１を段階的に用いてマルチチャンネル信号を復元することができる。また、空間情報信号６００は、前述したツリー構造情報を含むことができる。
【００４３】
図６は、本発明の一実施例による第１デコーディング装置を示すブロック図である。図６を参照すると、第１デコーディング装置は、逆多重化部７００、ダウンミックス信号デコーディング部７２０、２チャンネル信号生成部７１０及びマルチチャンネル信号生成部７３０を含む。逆多重化部７００は、ダウンミックス信号をパースし、パースされた信号をダウンミックス信号デコーディング部７２０に送る。ダウンミックス信号はモノ信号になりうる。また、ダウンミックス信号は周波数ドメイン上の信号になることができる。周波数ドメインは、ＱＦＭドメインになりうる。ダウンミックス信号デコーディング部７２０は、ダウンミックス信号を復号化し、復号化されたダウンミックス信号をそのまま出力する。ダウンミックス信号デコーディング部７２０は、空間情報を用いてダウンミックス信号を２チャンネル信号またはマルチチャンネル信号にアップミックスして出力することができる。ダウンミックス信号がＰＣＭ信号である場合、ダウンミックス信号を、ダウンミックス信号デコーディング部７２０を経由することなくそのまま出力することができる。
【００４４】
デコーディング装置は、ビットストリームに含まれている空間情報識別子を用いてビットストリームがどんな空間情報を含むかを検出することができる。ダウンミックス信号がモノ信号であり、第１デコーディング装置が生成できる信号が、２チャンネル信号とマルチチャンネル信号のうちの一つの信号である場合、デコーディング装置は、ダウンミックス信号が２チャンネル信号を生成できる信号か、または、マルチチャンネルを生成できる信号かを、空間情報識別子を用いて判断する。デコーディング装置が、２チャンネル信号生成のための空間情報及びマルチチャンネル信号生成のための空間情報の両方がビットストリームに含まれていると判断すると、デコーディング装置は、２チャンネル信号生成のための空間情報とマルチチャンネル信号のための空間情報から特定信号生成のための空間情報のみを抽出し、抽出した情報を用いてチャンネル信号を生成することができる。ダウンミックス信号がＰＣＭ信号である場合、第１空間情報６２１及び第２空間情報６２３を、ダウンミックス信号に埋めて転送することができる。この場合、逆多重化部７００は、ダウンミックス信号から第１空間情報６２１及び第２空間情報６２３を抽出することができる。
【００４５】
デコーディング装置が２チャンネル信号のみを生成できる場合、デコーディング装置の逆多重化部７００は、転送された空間情報のうち、２チャンネル信号生成のための第２空間情報６２３をパースし、パースされた情報を２チャンネル信号生成部７１０に送る。デコーディング装置がマルチチャンネル信号のみを生成できる場合、デコーディング装置の逆多重化部７００は、転送された空間情報のうち、マルチチャンネル信号生成のための第１空間情報６２１のみをパーシングし、これをマルチチャンネル信号生成部７３０に送る。すなわち、デコーディング装置が２チャンネル信号からマルチチャンネル信号を生成する代わりにダウンミックス信号と空間情報から直接マルチチャンネル信号を生成する場合、デコーディング装置は、第２空間情報６２３を使用する必要がない。したがって、デコーディング装置は、第１空間情報６２１のみを抽出して利用することができる。デコーディング装置が２チャンネル信号及びマルチチャンネル信号をいずれも生成できる場合には、デコーディング装置は、ユーザから制御情報を受信することによって、ユーザにより選択されたチャンネル信号生成のための空間情報を抽出することができる。
【００４６】
デコーディング装置が生成できる信号が２チャンネル信号であり、または、ユーザが２チャンネル信号生成を選択する場合、２チャンネル信号生成部７１０は、逆多重化部７００がパーシングして送った第２空間情報６２３と復号化されたダウンミックス信号とを用いて２チャンネル信号を生成し、生成された信号を出力する。２チャンネル信号生成部７１０は、信号変換部（図示せず）、具体的には、ＯＴＴボックスを用いてモノダウンミックス信号をアップミックスして２チャンネル信号を生成する。この場合、チャンネル信号生成部７３０は動作する必要がない。逆多重化部７００は、マルチチャンネル信号生成部７３０の動作を制御する識別子を生成し、生成された識別子をマルチチャンネル信号生成部７３０に送ることができる。以下、２チャンネル信号生成部７１０またはマルチチャンネル信号７３０の動作を制御する識別子を、動作制御識別子と呼ぶ。マルチチャンネル信号生成部７３０は、逆多重化部７００から受けた動作制御識別子に応じて動作しない。また、第１空間情報６２１を考慮する必要がない。デコーディング装置が生成できる信号がマルチチャンネル信号であり、または、ユーザがマルチチャンネル信号生成を選択する場合、マルチチャンネル信号生成部７３０は、第１空間情報６２１を用いてマルチチャンネル信号を生成し、生成された信号を出力する。マルチチャンネル信号生成部７３０は、複数の信号変換部を用いてダウンミックス信号をアップミックスする。前述の如く、信号変換部は、ＯＴＴボックス又はＴＴＴボックスを含む。この場合、２チャンネル信号生成部７１０は、動作する必要がないので、逆多重化部７００は、動作制御識別子を生成し、生成された動作制御識別子を２チャンネル信号生成部７１０に送り、２チャンネル信号生成部７１０の動作を制御する。２チャンネル信号生成部７１０は、動作制御識別子に応じて動作しない。また、第２空間情報６２３を考慮する必要がない。
【００４７】
デコーディング装置は、修正空間情報生成部（図示せず）も含むことができる。修正空間情報生成部は、空間情報を用いて修正された空間情報タイプを識別し、空間情報に基づいて識別されたタイプの修正された空間情報を生成する。修正された空間情報とは、空間情報を用いて新しく生成された空間情報のことをいう。修正された空間情報を、空間情報を組み合わせて生成することができる。修正空間情報生成部は、空間情報に含まれているツリー構造情報及び出力チャンネル情報などを用いて修正された空間情報を生成することができる。出力チャンネル情報は、デコーディング装置と相互接続されたスピーカに関する情報であり、出力チャンネルの数、出力チャンネルそれそれの位置情報などを含むことができる。出力チャンネル情報を、製作者により予めデコーディング装置に入力され、ユーザにより入力することができる。デコーディング装置は、ツリー構造情報及び出力チャンネル情報を用いてエンコーディング装置によってダウンミックスされた元のマルチチャンネルと生成されるチャンネル数とが同一か判断する。以下、エンコーディング装置によりダウンミックスされた元のマルチチャンネルを、第１マルチチャンネルと呼ぶ。デコーディング装置は、エンコーディング装置によってダウンミックスされた第１マルチチャンネルの数と生成されるマルチチャンネル数が異なる場合、修正空間情報生成部を用いて空間情報を修正することができる。修正された空間情報を、前述したＣＬＤ，ＩＣＣ，ＣＰＣ，ＩＰＤなどを組み合わせて生成することができる。デコーディング装置は、修正された空間情報及びダウンミックス信号を用いて第１マルチチャンネルと異なる数のチャンネルを持つマルチチャンネルを生成することができる。
【００４８】
図７は、本発明の他の実施例による第２デコーディング装置を示すブロック図である。図７を参照すると、第２デコーディング装置は、逆多重化部８００、ダウンミックス信号デコーディング部８１０、２チャンネル信号生成部８２０、及びマルチチャンネル信号生成部８３０を含む。逆多重化部８００は、エンコーディング装置から送られてきたビットストリームまたは記憶媒体に記録されているビットストリームからダウンミックス信号をパースし、パースされた信号をダウンミックス信号デコーディング部８１０に送る。ダウンミックス信号デコーディング部８１０は、ダウンミックス信号を復号化し、復号化された信号をモノ信号として出力し、または、空間情報を用いて２チャンネル信号またはマルチチャンネル信号を生成することができる。デコーディング装置が２チャンネル信号を生成できる場合、または、デコーディング装置が２チャンネル信号とマルチチャンネル信号のいずれも生成できるにもかかわらずユーザにより２チャンネル信号生成が選択される場合、逆多重化部８００は、２チャンネル信号生成のための第２空間情報６２３を抽出し、抽出された情報を２チャンネル信号生成部に送る。２チャンネル信号生成部８２０は、第２空間情報６２３及び復号化されたダウンミックス信号とを用いて２チャンネル信号を生成する。第２空間情報６２３は、周波数ドメインでダウンミックス信号に適用されるため、デコーディング装置が２チャンネル信号を出力するためには、２チャンネル信号を時間ドメインに変換しなければならない。デコーディング装置は、時間領域を周波数領域へ、または、周波数領域を時間領域へとドメイン変換するとき、ＦＦＴ（高速フーリエ変換），ＤＦＴ（離散フーリエ変換），ＱＭＦまたはハイブリッド関数などを使用することができる。デコーディング装置は、ドメイン変換された２チャンネル信号を出力する。デコーディング装置が２チャンネル信号のみを生成する場合、マルチチャンネル信号を生成する必要がない。したがって、逆多重化部８００は、マルチチャンネル信号生成部８３０が動作しないように動作制御識別子を生成し、生成された識別子をマルチチャンネル信号生成部８３０に送る。マルチチャンネル信号生成部８３０は、動作制御識別子に応じて動作しない。この場合、マルチチャンネル信号生成のための第１空間情報６２１を考慮する必要がない。
【００４９】
デコーディング装置がマルチチャンネル信号を生成でき、または、ユーザによりマルチチャンネル信号生成が選択された場合、逆多重化部８００は、マルチチャンネル信号生成のための空間情報を抽出する。第２デコーディング装置は、第１デコーディング装置とは違い、第２チャンネル信号を用いてマルチチャンネル信号を生成するので、逆多重化部８００は、２チャンネル信号生成のための第２空間情報６２３と２チャンネル信号からマルチチャンネル信号を生成するための第１空間情報６２１の両方を抽出する。したがって、第１デコーディング装置によって使用される第１空間情報は、第２デコーディング装置によって使用される第１空間情報と区別される。特に、第１デコーディング装置で使用される第１空間情報は、ダウンミックス信号からマルチチャンネルを生成するのに必要な空間情報であるが、第２デコーディング装置で使用される第２空間情報は、２チャンネル信号からマルチチャンネル信号を生成のに必要な空間情報である。２チャンネル信号生成部８２０は、第２空間情報６２３と復号化されたダウンミックス信号とを用いて２チャンネル信号を生成し、生成された信号をマルチチャンネル信号生成部８３０に送る。マルチチャンネル信号生成部８３０は、２チャンネル信号生成部８２０が送った２チャンネル信号と逆多重化部８００で抽出された第１空間情報６２１とを用いて、マルチチャンネル信号を生成することができる。２チャンネル信号生成とマルチチャンネル信号生成が同一のドメイン、例えば、周波数ドメインで行われる場合、マルチチャンネル信号生成部８３０は、周波数ドメイン上の２チャンネル信号を用いてマルチチャンネル信号を生成することができる。周波数ドメインはＱＭＦドメイン、ハイブリッドドメインなどを含む。特に、マルチチャンネル信号生成部８３０は、時間ドメインへと変換されない２チャンネル信号に第１空間情報６２１を適用し、マルチチャンネル信号を生成することができる。この場合、２チャンネル信号を時間ドメインの信号に変換する必要がない。ユーザは第１デコーディング装置及び第２デコーディング装置などを用いて２チャンネル信号またはマルチチャンネル信号を選択して用いることができる。
【図面の簡単な説明】
【００５０】
【図１】本発明の一実施例による第１エンコーディング装置を示すブロック図である。
【図２】本発明の他の実施例による第２エンコーディング装置を示すブロック図である。
【図３】本発明の一実施例によるデコーディングされたダウンミックス信号を用いて空間情報を生成する第３エンコーディング装置を示すブロック図である。
【図４】本発明の他の実施例によるデコーディングされたダウンミックス信号を用いて空間情報を生成する第４エンコーディング装置を示すブロック図である。
【図５】本発明の一実施例によるオーディオ信号をビットストリームとして示す図である。
【図６】本発明の一実施例による第１デコーディング装置を示すブロック図である。
【図７】本発明の他の実施例による第２デコーディング装置を示すブロック図である。
【図１】
2009532712.tif 000003
【図２】
2009532712.tif 000004
【図３】
2009532712.tif 000005
【図４】
2009532712.tif 000006
【図５】
2009532712.tif 000007
【図６】
2009532712.tif 000008
【図７】
2009532712.tif 000009
【国際調査報告】
2009532712.tif 000010
2009532712.tif 000011